(57)【要約】【課題】被写体特定情報を用いてその被写体を撮影した画像を管理して、被写体である利用者にその画像を提供するシステムにおいて、被写体特定情報が取得できない場合であっても被写体特定情報を利用したサービスを提供することを可能にする。【解決手段】ユーザーＩＤ（被写体特定情報）が記憶された無線タグを内蔵するとともに、ユーザーＩＤと一義的に対応した固有のパターンのバーコード（補助情報）が印刷されたチケット２０を利用者に配布する。サービス提供時に、無線タグもしくは受信アンテナ１２等のなんらかのトラブルが発生し、無線タグからユーザーＩＤを取得することができない状況となっている場合には、バーコードリーダー１３により利用者が持つチケット２０に印刷されたバーコードのパターン情報を取得してサービスの提供を行う。【選択図】          図１
2004260307.tif 000002
【特許請求の範囲】
【請求項１】
被写体を特定する被写体特定情報が記録された被写体特定用媒体から前記被写体特定情報を取得し、前記被写体の撮影により得られた画像データと前記被写体特定情報とを関連付けて記録する画像管理システムであって、
前記被写体特定用媒体が、前記被写体特定情報に加えて、該被写体特定情報と一義的に対応した補助情報が記録されたものであることを特徴とする画像管理システム。
【請求項２】
前記被写体特定用媒体が、前記被写体特定情報を外部機器に対して送信する送信手段を備えたことを特徴とする請求項１記載の画像管理システム。
【請求項３】
前記補助情報が、バーコードであることを特徴とする請求項１または２記載の画像管理システム。
【請求項４】
前記補助情報が、磁気ストライプに記録されたものであることを特徴とする請求項１から３のいずれか１項記載の画像管理システム。
【請求項５】
前記被写体特定情報と前記補助情報とを一義的に対応させる関連付け情報を記録した記憶装置をさらに備えたことを特徴とする画像管理システム。
【請求項６】
被写体特定情報、および該被写体特定情報と一義的に対応した補助情報が記録されたことを特徴とする被写体特定用媒体。
【発明の詳細な説明】
【０００１】
【発明の属する技術分野】
本発明は、遊園地やテーマパーク等の観光スポットにおいて来場者の記念写真やスナップ写真を自動撮影して提供するシステム等により得られた画像データを管理する画像管理システムおよび被写体特定用媒体に関するものである。
【０００２】
【従来の技術】
従来から、遊園地やテーマパーク等の観光スポットでは、アトラクション内でお客を撮影して、アトラクション終了後等に、撮影した画像のプリントを販売するサービスが行われていた。
【０００３】
また、本願出願人は、上記のようなサービスを効率よく行うためのものとして、特許文献１に記載されているような画像提供システムを提案している。
【０００４】
この画像提供システムの一例としては、以下のような形態のものが考えられている。
【０００５】
最初にサービスの利用者に固有のＩＤ情報（被写体特定情報）を記憶させた無線タグ（被写体特定用媒体）を配布する。その後、無線タグを持つ利用者が、観光スポット内の各アトラクションや所定の撮影スポットに立ち寄る度に、各アトラクションや所定の撮影スポット毎に設置されたカメラにより利用者を自動的に撮影するとともに、撮影した利用者の持つ無線タグからＩＤ情報を受信し、撮影により得られた画像データと利用者のＩＤ情報とを関連付けてサーバーに送信し、サーバーにおいてこれらの画像データおよびＩＤ情報を保管する。
【０００６】
観光スポット内に設置された注文端末から利用者の注文を受けた際、サーバーはＩＤ情報に基づいて利用者を撮影した画像データを検索し、この画像データを印刷して利用者に提供する、もしくは記録媒体等に画像データを記録して提供する。
【０００７】
これにより、利用者は好きなときに、観光スポット内に設置された注文端末を利用して、観光スポット内で撮影された複数の画像の中から、任意の画像をまとめて注文することができるため、より利便性の高いサービスを提供することが可能となる。
【０００８】
なお、無線タグの配布の際に、利用者の名称、住所、電話番号等の利用者情報を取得して、ＩＤ情報と利用者情報とを関連付けて管理しておくことによって、画像提供サービス以外にも、ＩＤ情報を利用して観光スポット内での落し物検索や、迷子検索、アトラクションの混雑状況提供、キャッシュレスサービス等の利用者個人毎に対応したサービスを行うことも可能となる。
【０００９】
【特許文献１】
特開２００１−１７７７５０号公報
【００１０】
【発明が解決しようとする課題】
しかしながら、上記のような画像提供システムにおいては、画像の撮影時および注文時、さらに、画像を管理するためのＩＤ情報を利用して画像提供以外のサービスを受ける際に、かならず利用者の持つ無線タグからＩＤ情報（被写体特定情報）を取得する必要があるため、無線タグのトラブル等により、無線タグからＩＤ情報（被写体特定情報）が受信できなくなった場合、全てのサービスが停止してしまう虞があった。
【００１１】
本発明は上記問題に鑑みてなされたものであり、被写体特定情報が取得できない場合であっても、被写体特定情報を利用したサービスを提供することが可能な画像管理システムおよび被写体特定用媒体を提供することを目的とするものである。
【００１２】
【課題を解決するための手段】
本発明による画像管理システムは、被写体を特定する被写体特定情報が記録された被写体特定用媒体から被写体特定情報を取得し、被写体の撮影により得られた画像データと被写体特定情報とを関連付けて記録する画像管理システムであって、被写体特定用媒体が、被写体特定情報に加えて、被写体特定情報と一義的に対応した補助情報が記録されたものであることを特徴とするものである。
【００１３】
被写体特定用媒体は、前記被写体特定情報を外部機器に対して送信する送信手段を備えたものとしてもよい。このような送信手段の具体例としては、長距離型（交信範囲数メートル程度）の無線タグ（ＲＦＩＤ  ：  Ｒａｄｉｏ  Ｆｒｅｑｕｅｎｃｙ  ＩＤｅｎｔｉｆｉｃａｔｉｏｎ）を利用することが考えられる。
【００１４】
補助情報は、バーコードとしてもよいし、磁気ストライプに記録されたものとしてもよい。
【００１５】
また、本発明による画像管理システムにおいては、被写体特定情報と補助情報とを一義的に対応させる関連付け情報を記録した記憶装置をさらに備えることが好ましい。
【００１６】
本発明による被写体特定用媒体は、被写体特定情報、および被写体特定情報と一義的に対応した補助情報が記録されたことを特徴とするものである。
【００１７】
【発明の効果】
本発明による画像管理システムは、被写体を特定する被写体特定情報が記録された被写体特定用媒体から被写体特定情報を取得し、被写体の撮影により得られた画像データと被写体特定情報とを関連付けて記録する画像管理システムにおいて、被写体特定用媒体に、被写体特定情報に加えて、被写体特定情報と一義的に対応した補助情報を記録することにより、被写体特定用媒体から被写体特定情報が取得できない場合に、補助情報を取得して、この補助情報に基づいて被写体特定情報を取得することができるため、被写体特定情報が取得できない場合であっても、被写体特定情報を利用したサービスを提供することが可能となる。
【００１８】
【発明の実施の形態】
以下、図面を参照して、本発明の実施の形態について説明する。図１は、本発明による画像管理システムを応用した画像提供システムのブロック図である。
【００１９】
この画像提供システム１は、被写体（サービスの利用者）を自動撮影する複数の撮影ユニット１０と、被写体によって所持され、被写体を特定するための被写体特定用媒体としてのチケット２０と、撮影ユニット１０により得られた画像データを保管するサーバー３０と、サーバー３０にアクセスして画像の注文を行う注文端末４０と、注文された画像データを出力する出力手段５０とを備えている。
【００２０】
チケット２０の具体例を図２に示す。このチケット２０には、各チケット毎に固有のユーザーＩＤ（被写体特定情報）が記憶された無線タグ２１が内蔵されており、さらに表面に各チケット毎に固有のパターンのバーコード２２（補助情報）が印刷されている。無線タグ２１としては電池内蔵で交信距離が数メートル以上の長距離型ＲＦＩＤタグが考えられる。チケット２０は、画像提供システム１でのサービスの利用者に配布される。また、チケット２０の配布時に、利用者から利用者の名称、住所、電話番号等、サービスに必要な利用者情報を取得して、ユーザーＩＤとバーコード２２のパターン情報と利用者情報とを関連付けてサーバー３０内の図３に示すような被写体特定情報データベースに記憶する。
【００２１】
撮影ユニット１０は、被写体を撮影するデジタルカメラ１１と、被写体が所持するチケット２０に内蔵された無線タグ２１からユーザーＩＤ（被写体特定情報）を受信する受信アンテナ１２と、被写体が所持するチケット２０に印刷されたバーコード２２（補助情報）を読み取るバーコードリーダー１３と、デジタルカメラ１１の撮影により得られた画像データとユーザーＩＤもしくはバーコード２２のパターン情報とをサーバー３０へ伝送する伝送手段１４とから構成されている。
【００２２】
図４は、撮影ユニット１０をテーマパーク内のアトラクション（ジェットコースター）に設置した例を示すものである。デジタルカメラ１１は、コースターが所定の撮影スポットに来た際に撮影可能な位置に設置されている。また、受信アンテナ１２は、上記撮影スポットから無線タグ２１の交信範囲内に設置されている。また、バーコードリーダー１３は、アトラクション入り口付近に設けられており、バーコードリーダー１３によるチケット２０（バーコード２２）の読取りと、読み取ったチケット２０を所有する利用者が乗車するコースターとが対応付けられるように構成されている。なお、バーコードリーダー１３は、アトラクション内の乗物毎、もしくは乗物の座席毎に設置してもよい。
【００２３】
撮影ユニット１０の各々には設置場所に応じた固有の場所ＩＤが設定されている。また、デジタルカメラ１１の撮影により得られた画像データには固有の画像ＩＤが付与される。伝送手段１４は、撮影日時と、場所ＩＤと、撮影により得られた画像データの画像ＩＤと、チケット２０（無線タグ２１）から受信したユーザーＩＤ（被写体特定情報）もしくはチケット２０から読み取ったバーコード２２のパターン情報（補助情報）とを撮影情報として、画像データと併せてサーバー３０へ送信する。
【００２４】
送信された撮影情報はサーバー３０内の図７に示すような撮影情報データベースに記憶される。また、画像データも同様にサーバー３０内の画像データベースに記憶される。
【００２５】
サーバー３０は、図５に示すように、撮影ユニット１０の伝送手段１２、注文端末４０、出力手段５０と通信を行う通信制御部３２と、被写体特定情報データベース、画像データベース、撮影情報データベース、テンプレートデータベース等を記憶する記憶部３４と、画像データベース中から所定の画像データを検索する画像検索部３３と、これらを制御するＣＰＵ／メモリ３１とを備えたものである。
【００２６】
注文端末４０は、図６に示すように、サーバー３０と通信を行う通信制御部４２と、注文入力画面等を表示するモニタ４３と、利用者に注文操作を行わせるための操作部４４と、チケット２０に内蔵された無線タグ２１からユーザーＩＤ（被写体特定情報）を受信する受信アンテナ４５と、チケット２０に印刷されたバーコード（補助情報）２２を読み取るバーコードリーダー４６と、これらを制御するＣＰＵ／メモリ４１とを備えたものである。
【００２７】
出力手段５０は、合成画像データを紙に印刷するためのプリンタ、画像データを記録媒体に記録させるための記録装置、および画像データをインターネットに配信するための通信装置等が設けられている。
【００２８】
次に、合成画像提供システム１による処理について説明する。
【００２９】
最初に、サービスの利用者（以後、被写体Ｐ）に対してチケット２０を配布する。この際に、利用者から利用者の名称、住所、電話番号等、サービスに必要な利用者情報を取得し、チケット２０に内蔵された無線タグ２１のユーザーＩＤと、チケット２０に印刷されたバーコード２２のパターン情報と、利用者情報とを関連付けて被写体特定情報データベースに記憶する。なお、本実施の形態の説明では、被写体Ｐに配布したチケット２０に内蔵された無線タグ２１のユーザーＩＤを１００、同じくチケット２０に印刷されたバーコード２２のパターン情報をＡとする。
【００３０】
チケット２０を持つ被写体Ｐが、撮影ユニット１０を備えたアトラクションに入場し、被写体Ｐが乗車しているコースターが所定の撮影スポットに来た際に、デジタルカメラ１１によりコースター（被写体Ｐ）を撮影するとともに、被写体Ｐが持つチケット２０に内蔵された無線タグ２１からユーザーＩＤ（被写体特定情報）を取得する。
【００３１】
ここで、無線タグ２１もしくは受信アンテナ１２等のなんらかのトラブルが発生し、無線タグ２１からユーザーＩＤ（被写体特定情報）を取得することができない状況となっている場合には、アトラクション入り口付近で被写体Ｐが持つチケット２０に印刷されたバーコード２２のパターン情報（補助情報）を読み取り、被写体Ｐが乗車しているコースターが所定の撮影スポットに来た際に、デジタルカメラ１１によりコースター（被写体Ｐ）を撮影する。
【００３２】
伝送手段１４は、撮影により得られた画像データと、チケット２０（無線タグ２１）から受信したユーザーＩＤ（被写体特定情報）もしくはチケット２０から読み取ったバーコード２２のパターン情報（補助情報）を含む撮影情報とを併せてサーバー３０へ送信する。
【００３３】
次に、画像注文および画像合成処理の流れを、図８に示すフローチャートを参照して説明する。
【００３４】
利用者（被写体Ｐ）が注文端末４０にアクセスすると、注文端末４０は注文受付を開始するとともに（Ｓ１００）、利用者（被写体Ｐ）が持つチケット２０に内蔵された無線タグ２１からからユーザーＩＤ（被写体特定情報）を取得して、取得したユーザーＩＤをサーバー３０へ送信する（Ｓ１０１）。
【００３５】
ここで、無線タグ２１もしくは受信アンテナ１２等のなんらかのトラブルが発生し、無線タグ２１からユーザーＩＤ（被写体特定情報）を取得することができない状況となっている場合には、利用者（被写体Ｐ）が持つチケット２０に印刷されたバーコード２２のパターン情報を取得し、取得したバーコード２２のパターン情報（補助情報）をサーバー３０へ送信する（Ｓ１０１）。
【００３６】
サーバー３０は、注文端末４０から受信したユーザーＩＤもしくはバーコードのパターン情報に基づいて、撮影情報データベース中から、受信したユーザーＩＤもしくはバーコードのパターン情報に該当する撮影情報を抽出して、この撮影情報に基づいて画像データべース中から、利用者が写っている画像データを検索し、検索した画像データを注文端末４０へ送信する（Ｓ１１０）。本実施の形態では撮影情報は図９のように抽出される。
【００３７】
注文端末４０は、サーバー３０から受信した画像データをプレビューとして表示し（Ｓ１０２）、画像の注文の有無や、注文が有る場合には注文枚数や出力形態等の注文を入力させ、その情報をサーバー３０へ送信する（Ｓ１０３）。
【００３８】
サーバー３０は、注文端末４０から受信した注文情報に基づいて注文の有無を判定し（Ｓ１１１）、注文が無い場合には処理を終了し、注文が有る場合には画像データＧを出力手段５０へ出力した後（Ｓ１１２）、処理を終了する。
【００３９】
上記のような構成とすることにより、被写体特定用媒体（チケット等）から被写体特定情報が取得できない場合に、補助情報を所得して、この補助情報に基づいて被写体特定情報を得ることができるため、被写体特定情報が取得できない場合であっても、被写体特定情報を利用したサービスを提供することが可能となる。
【００４０】
なお、本実施の形態では、チケット（被写体特定用媒体）に印刷したバーコードを補助情報としてが、本発明による被写体特定用媒体において補助情報は上記のバーコードに限定されるものではなく、例えば、被写体特定用媒体に磁気ストライプを設けて、該磁気ストライプに記憶させた情報とする等、被写体特定情報と一義的に対応した情報であればどのようなものとしてもよい。
【図面の簡単な説明】
【図１】本発明による画像管理システムを応用した画像提供システムの構成を示す概略ブロック図
【図２】チケット（被写体特定用媒体）の概略図
【図３】被写体特定情報データベースの説明図
【図４】上記画像提供システムの撮影ユニットの設置例を示す図
【図５】サーバーの構成を示す概略ブロック図
【図６】注文端末の構成を示す概略ブロック図
【図７】撮影情報データベースの説明図
【図８】上記画像提供システムにおける、画像注文の流れを示すフローチャート
【図９】撮影情報データベースの説明図
【符号の説明】
１０    撮影ユニット
１１    デジタルカメラ
１２    受信アンテナ
１３    バーコードリーダー
１４    伝送手段
２０    チケット
２１    無線タグ
２２    バーコード
３０    サーバー
４０    注文端末
５０    出力手段
【図１】
2004260307.tif 000003
【図２】
2004260307.tif 000004
【図３】
2004260307.tif 000005
【図４】
2004260307.tif 000006
【図５】
2004260307.tif 000007
【図６】
2004260307.tif 000008
【図７】
2004260307.tif 000009
【図８】
2004260307.tif 000010
【図９】
2004260307.tif 000011